(57)【要約】【課題】メッセージを訴える場所としてギターのブリッジピンに着目し、ブリッジピンの頭部に文字などを象嵌して、本来の演奏機能とは別にメッセージ機能を持たせたギターのブリッジピンを提供する。【解決手段】ナットとブリッジの間に張設された複数の弦の一端を固定するギターのブリッジピンであって、ブリッジピンの頭部に文字、記号などの標識を象嵌してメッセージ機能を持たせ、ブリッジピンを取り替えることにより複数のメッセージを選定できることを特徴とする。【選択図】図３
0003150123.tif 000002
【実用新案登録請求の範囲】
【請求項１】
ナットとブリッジの間に張設された複数の弦の一端を固定するギターのブリッジピンであって、ブリッジピンの頭部に文字、記号などの標識を象嵌してメッセージ機能を持たせたことを特徴とするギターのブリッジピン。
【請求項２】
前記メッセージ機能は、前記ブリッジピンを取り替えることにより複数のメッセージを選定できることを特徴とする請求項１記載のギターのブリッジピン。
【請求項３】
前記ブリッジピンの頭部に文字、記号などの標識を象嵌する際に、視認性を良好にするためにブリッジピンの頭部を水平切断して平面にすることを特徴とする請求項１記載のギターのブリッジピン。
【請求項４】
前記ブリッジピンの頭部に文字、記号などの標識を象嵌する際に、文字数に制限されないためにブリッジピンの頭部を立方体にして連続平面にすることを特徴とする請求項１記載のギターのブリッジピン。
【考案の詳細な説明】
【技術分野】
【０００１】
本考案は、ギターのブリッジピンに関し、詳しくはブリッジピンの頭部に文字などを象嵌して、本来の演奏機能とは別にメッセージ機能を持たせたギターのブリッジピンに関する。
【背景技術】
【０００２】
ギターは、手軽な楽器として広く一般に普及しており、廉価なスタンダードモデルから豪華な装飾を施したヴィンテージモデルまで各種存在する。ヴィンテージモデルに施した装飾の殆んどは、外観美を良くすることを目的とし、胴部表甲部分に薄く箔状に削った貝殻を着色して貼り付けたり（特許文献１）、サウンドホールの周囲に小さな細長い木片を張り合わせて形成した装飾板を貼り付けた（特許文献２）ものが多かった。
【先行技術文献】
【特許文献】
【０００３】
【特許文献１】実開昭５１−１４８９３１号公報
【特許文献２】実公昭４６−５１７３号公報
【考案の概要】
【考案が解決しようとする課題】
【０００４】
しかしながら、このような装飾は意匠的には優れているが、ギター或いはギター奏者が訴えようとするメッセージ的な意味合いには乏しかった。例えば、演奏会等でギター奏者が本来の演奏機能とは別のあるメッセージを訴えようとした場合、ギター本体にメッセージをペイントする方法が多く用いられてきたが、メッセージの内容が変わる都度、書き直す必要があり、作業が煩雑であった。
【０００５】
また、ペイントする代わりにメッセージ内容をシールにしてギター本体に貼り付ける方法もあるが、貼る場所によって音響効果が悪くなることもあるので、どこでもいいからシールを貼る訳にはいかなかった。
【０００６】
本考案は上記のような問題点に鑑みてなされたもので、メッセージを訴える場所としてギターのブリッジピンに着目し、ブリッジピンの頭部に文字などを象嵌して、本来の演奏機能とは別にメッセージ機能を持たせたギターのブリッジピンを提供することを目的とする。
【課題を解決するための手段】
【０００７】
上記目的を達成するため、請求項１のギターのブリッジピンは、ナットとブリッジの間に張設された複数の弦の一端を固定するギターのブリッジピンであって、ブリッジピンの頭部に文字、記号などの標識を象嵌してメッセージ機能を持たせたことを特徴とするものである。
【０００８】
また、請求項２のギターのブリッジピンは、請求項１記載のギターのブリッジピンであって、メッセージ機能は、ブリッジピンを取り替えることにより複数のメッセージを選定できることを特徴とするものである。
【０００９】
また、請求項３のギターのブリッジピンは、請求項１記載のギターのブリッジピンであって、ブリッジピンの頭部に文字、記号などの標識を象嵌する際に、視認性を良好にするためにブリッジピンの頭部を水平切断して平面にすることを特徴とするものである。
【００１０】
また、請求項４のギターのブリッジピンは、請求項１記載のギターのブリッジピンであって、ブリッジピンの頭部に文字、記号などの標識を象嵌する際に、文字数に制限されないためにブリッジピンの頭部を立方体にして連続平面にすることを特徴とするものである。
【考案の効果】
【００１１】
本考案のギターのブリッジピンによれば、ブリッジピンの頭部に文字、記号などの標識を象嵌することにより、本来の演奏機能とは別にメッセージ機能を持たせたギターのブリッジピンを提供することができ、ブリッジピンを取り替えることにより複数のメッセージを選定することができる。
【００１２】
また、ブリッジピンの頭部を水平切断して平面にすることにより、メッセージの視認性を良好にすることができる。
【００１３】
さらに、ブリッジピンの頭部を立方体にして連続平面にすることにより、メッセージの文字数に制限されず、また、アルファベットの筆記体のような連続文字でも表現することができる。
【図面の簡単な説明】
【００１４】
【図１】ギターの全体図である。
【図２】ブリッジピンの斜視図である。
【図３】本考案のブリッジピンの第一実施例を示す斜視図である。
【図４】第一実施例によるブリッジピンを用いたメッセージ機能を示す説明図である。
【図５】本考案のブリッジピンの第二実施例を示す斜視図である。
【図６】第二実施例によるブリッジピンを用いたメッセージ機能を示す説明図である。
【図７】本考案のブリッジピンの第三実施例を示す斜視図である。
【図８】第三実施例によるブリッジピンを用いたメッセージ機能を示す説明図である。
【考案を実施するための形態】
【実施例】
【００１５】
ギターなどの弦楽器においては、図１に示すように、ヘッド２とネック３との境界部分に取り付けられたナット５と共鳴胴４に取り付けられたブリッジ６の間に複数の弦７が張られ、この各弦７の一端はブリッジ６の穴８に差し込まれたブリッジピン９により固定され、他端はヘッド２に取り付けられたペグ１により巻き上げられ張力が調整され、開放弦の音程が決められる。そして、ネックの指板の上に特定の間隔に埋め込まれた多数のフレット１０を設け、このフレットの間を指で押さえ、振動する弦の長さを変えることにより音程を変え演奏が行われる。
【００１６】
ブリッジピン９は、プラスチックの成型品や、動物の骨を削った物や黒檀などの木材、あるいは、金属などで作られており、図２に示すように、ブリッジ６の穴８に差し込んで弦７の一端を固定するためのテーパ針部１１と、頭部１２を持つ。テーパ針部１１には弦７の通るスロット１３が形成されている。弦７をスロット１３に通し、テーパ針部１１をブリッジ６の穴８に差し込んだ状態で弦７の一端は固定される。なお、ブリッジピンによってはテーパ針部１１にスロット１３が形成されてないものも存在する。
【００１７】
一方、頭部１２は、通常は球形状に形成されていて、ブリッジピン９を引き抜く際に持つための機能を有している。頭部１２の中央に白蝶貝ドット１４を埋め込み、ギターの外周やヘッド、サウンドホール周り、フィンガーボード周り等に、同様の素材が使用されているギターに適応することができる。
【００１８】
このようなギターにおいて、本来の演奏機能とは別にメッセージ機能を持たせようとした場合、今まではギター本体にメッセージをペイントしたり、シールを貼り付けたりしていたが、本考案はメッセージを訴える場所としてギターのブリッジピンに着目した。
【００１９】
図３は本考案のブリッジピンの第一実施例を示したものであり、ブリッジピン９の頭部１２に白蝶貝ドットに替えて文字、記号などの標識１５を象嵌したものである。
【００２０】
図４はこの第一実施例によるブリッジピンを用いてメッセージ機能を持たせた状態を示したものであり、標識１５の一例としてアルファベット文字を頭部１２に象嵌したブリッジピン９をブリッジ６の穴８に差し込んで弦７を固定すると同時に、アルファベット６文字で１つのメッセージ１５ａを表現した。
【００２１】
この場合、ギターを正面から見ると、ブリッジピン９の頭部１２は球面状態であるので、頭部１２に象嵌されたアルファベット文字は視認性が悪くなる。それを改善したのが本考案のブリッジピンの第二実施例であり、図５に示すように、ブリッジピン９の頭部１２を水平切断し、その平面になった部位１６に標識１７を象嵌したものである。
【００２２】
図６はこの第二実施例によるブリッジピンを用いてメッセージ機能を持たせた状態を示したものであり、標識１７の一例としてアルファベット文字を頭部１２の平面部位１６に象嵌したブリッジピン９をブリッジ６の穴８に差し込んで弦７を固定すると同時に、アルファベット６文字で１つのメッセージ１７ａを表現した。
【００２３】
この場合、ギターを正面から見ると、ブリッジピン９の頭部１２は平面状態であるので、頭部１２に象嵌されたアルファベット文字は第一実施例に比べて視認性が改善される。以上の説明では表現するメッセージは６文字以内に限定され、文字数が多くなったり、アルファベットの筆記体のように連続性のあるメッセージには対応できない。それを改善したのが本考案のブリッジピンの第三実施例であり、図７に示すように、ブリッジピン９の頭部１２を立方体にし、その平面になった部位１８に標識１９を象嵌したものである。
【００２４】
図８はこの第三実施例によるブリッジピンを用いてメッセージ機能を持たせた状態を示したものであり、頭部１２を立方体にしたブリッジピン９をブリッジ６の穴８に差し込むと、平面になった部位１８は連続平面になるので、アルファベット文字の場合６文字に限定されない。またアルファベットの筆記体のような連続文字で１つのメッセージ１９ａを表現することも出来る。
【００２５】
メッセージを表わす標識としてはアルファベット文字を並べたものの他、記号或いはアルファベット文字と記号を組み合わせたものでも良い。
【００２６】
また、メッセージとしては文字、記号などの標識を頭部に象嵌したブリッジピンをいくつか準備しておき、ブリッジピンを取り替えることによりある思想を持った表現の他、ロゴ、会社名、個人名、ニックネームなど複数のメッセージを選定することができる。
【符号の説明】
【００２７】
２  ヘッド
３  ネック
４  共鳴胴
５  ナット
６  ブリッジ
７  弦
８  ブリッジの穴
９  ブリッジピン
１０  フレット
１１  テーパ針部
１２  頭部
１３  スロット
１５、１７、１９  標識
１５ａ、１７ａ、１９ａ  メッセージ
【図１】
0003150123.tif 000003
【図２】
0003150123.tif 000004
【図３】
0003150123.tif 000005
【図４】
0003150123.tif 000006
【図５】
0003150123.tif 000007
【図６】
0003150123.tif 000008
【図７】
0003150123.tif 000009
【図８】
0003150123.tif 000010